(57)【特許請求の範囲】
【請求項１】
機体ａに装架せる肥料ホッパーＨから肥料を吐出する繰出装置１の吐出口の前面に、その吐出口から吐出してくる肥料の流れを横切るよう左右に往復揺動して肥料を左右方向に振り出す飛散板２２を装設したことを特徴とする肥料散布装置。
【請求項２】
機体ａに装架せる肥料ホッパーＨから肥料を吐出する繰出装置１の吐出口の前面に、肥料の吐出方向と略直交してその吐出口の前面を遮断する規制板２１を装設し、その規制板２１と前記吐出口との間に、吐出口から吐出してくる肥料の流れを横切るよう左右に往復揺動して肥料を左右方向に振り出す飛散板２２を装設したことを特徴とする肥料散布装置。
【請求項３】
機体ａに装架せる肥料ホッパーＨから肥料を吐出する繰出装置１の吐出口の前面に、肥料の吐出方向と略直交してその吐出口の前面を遮断する規制板２１を、前記吐出方向と平行する支軸２０により左右に往復揺動するよう装架し、その規制板２１の前記吐出口と対面する内面側に、前記吐出口から吐出してくる肥料の流れを横切るよう左右に往復揺動する飛散板２２を、一体的に取付けたことを特徴とする肥料散布装置。
【請求項４】
左右に往復揺動する飛散板２２により左右に振り出される肥料の飛行軌跡を囲うカバー３を、下方が開放する下向きのチャンネル状に形成して機体ａに装架したことを特徴とする請求項１・２・３項記載の肥料散布装置。
【請求項５】
支軸２０中心に左右に往復揺動する飛散板２２の左右の振り巾を変更調節自在とした請求項１・２・３項記載の肥料散布装置。
【請求項６】
飛散板２２を往復揺動させる支軸２０の軸方向を、機体ａの前後方向に沿わせた請求項１・２・３項記載の肥料散布装置。
【請求項７】
繰出装置１の吐出口を形成するシュート１４を、回転軸４４により回転する円板１０およびその円板１０の上面に設けた翼板１１…の回転軌跡の外周を囲う円筒状の囲い枠１２に連続させて装設し、その囲い枠１２を回転軸４４中心に所望の角度量の旋回自在に機体ａに支架し、その囲い枠１２の旋回によりシュート１４の吐出方向を変更自在としたことを特徴とする請求項１・２・３項記載の肥料散布装置。
【発明の詳細な説明】
【０００１】
【産業上の利用分野】
本発明は、自走して走行する機体またはトラクタにより牽引されて走行する被牽引式の機体に、粉状または粒状の肥料を投入しておく肥料ホッパーを装架し、それの底部に設けた繰出口に散布装置を設けて、繰出口から繰出される肥料を拡散・散布するように構成する形態の肥料散布装置についての改良に関する。
【０００２】
【従来の技術】
上述の形態の肥料散布装置Ａは、従前のものにあっては、機体ａを自走型とした形態のものについて具体的にいえば、図１に示している如く、クローラ型の走行装置ｂにより走行する機体ａの後端側に、前記走行装置ｂおよび各作動部を駆動させるためのエンジンＥを装架するとともに操縦装置ｃを装架し、機体ａの上面の前方に寄せた部位に、粉状または粒状の肥料を投入しておく肥料ホッパーＨを装架し、それの底部の前端側に、肥料の排出口ｄを下方に向けて開設して、そこに排出量を調節するシャッターを設け、それの下方に、繰出される肥料を拡散させて散布する散布装置ｅを装設することで構成してある。
【０００３】
そして、それの散布装置ｅは、垂直方向の回転軸ｆにより回転する円盤ｇの上面に、回転軸芯から放射方向に向うように配設せる多数の羽根板ｈ…を取付けて構成し、前記シャッターにより繰出量が所望に調整されて繰出口から繰出されてくる肥料を、円盤ｇの上面で受け止め、それを、円盤ｇの上面に放射状に設けた羽根板ｈが、前述のエンジンＥにより駆動されて回転する円盤ｇとともに回動することで、放射方向に拡散させて振り出し、羽根板ｈ…の周囲の一部に機体ａに支持せしめて装設しておく規制板ｉにより散布範囲を規制し、これにより、機体ａの前面側に、平面視において略扇形の散布範囲に肥料を拡散せしめて散布していくようにしてある。
【０００４】
【発明が解決しようとする課題】
上述の形態の従前の肥料散布装置ｅは、それの肥料を散布する作動が、機体ａの前方に、平面視において扇形状の散布範囲に散布していくようになることから、畦ぎわに散布するときに、散布する肥料の大半が、畦畔を越えて飛散するようになる不都合が生じ、また、圃場の端が建物等の壁ぎわに位置しているときに、その壁ぎわにおける肥料の散布が著しく不均一になる不都合が生じてくる問題がある。
【０００５】
また、散布する肥料が風の影響を受け易い粉状または比重の軽い性状のものである場合に、散布する肥料が風に流されて、飛散する方向や、飛散距離が変動することで、肥料が均一に散布されず、偏よりや散布むらが多く生ずるようになる問題がある。
【０００６】
本発明は、従前手段に生じている上述の問題を解消せしめるためになされたものであって、肥料の散布範囲が、平面視において、略直線に沿う一筋の筋状乃至条状となるようにして、畦畔のきわ、または壁ぎわにも、所望の散布量で均一に散布していけるようにする新たな手段を提供するとともに、筋状乃至条状の散布範囲として行なう肥料の散布が、風の影響を受けることなく行なえるようにする新たな手段を提供することを目的とする。
【０００７】
【課題を解決するための手段】
そして、本発明においては、上述の目的を達成するための手段として、機体ａに装架せる肥料ホッパーＨから肥料を吐出する繰出装置１の吐出口の前面に、その吐出口から吐出してくる肥料の流れを横切るよう左右に往復揺動して肥料を左右方向に振り出す飛散板２２を装設したことを特徴とする肥料散布装置を提起するとともに、左右に往復揺動する飛散板２２により左右に振り出される肥料の飛行軌跡を囲うカバー３を、下方が開放する下向きのチャンネル状に形成して機体ａに装架してなる肥料散布装置を提起するものである。
【０００８】
【作用】
上述の如く構成せる本発明手段にあっては、繰出装置１から吐出される肥料の吐出方向に対して直交する方向に往復揺動する規制板２１およびそれの内面側に設けた飛散板２２の揺動支軸２０の軸方向を、機体ａの進行方向に対し平面視において平行する方向とした場合においては、繰出装置１から繰出される肥料が、その繰出装置１の吐出口の前面を横切るように設けられて左右に往復揺動する規制板２１の内面に衝突し、それの内面に設けてある飛散板２２…が規制板２１と共に、肥料の吐出方向に対し左右に揺動する作動により、左右方向に振り出されて散布されることで、機体ａの走行方向に対し直交する筋状乃至条状の散布範囲をもって散布されるようになり、機体ａの走行によりその散布範囲を順次変位させることで圃場の全面に散布していけるようになる。
【０００９】
また、規制板２１を往復揺動させる支軸２０の軸方向を、平面視において、機体ａの走行方向に対し直交する左右方向とした場合にあっては、繰出装置１の吐出口から吐出される肥料が、その吐出口の前面を横切るように設けられて前後方向に往復揺動する規制板２１に衝突して、それの内面側に設けてある飛散板２２…により前後方向に振り出され、機体ａの走行方向に平行する筋状乃至条状の散布範囲をもって散布されていくようになる。
【００１０】
また、散布範囲を、下方が開放する下向きのチャンネル状のカバー３で囲った場合には、散布する肥料が、風に飛ばされ易い性状・比重のものであっても、往復揺動する規制板２１および飛散板２２…により振り出された肥料が、風の影響を殆んど受けることなく、カバー３内を飛行して、振り出されたときに与えられた飛行エネルギーが消失したところで、下降してカバー３の下方の開放口３０から落下するから、殆んど風の影響を受けずに、筋状乃至条状の散布範囲をもって略均一に肥料を散布していけるようになる。
【００１１】
【実施例】
次に実施例を図面に従い詳述する。なお、従前手段のものと同効の構成部材については、同一の符号を用いるものとする。
【００１２】
図２は、本発明を実施せる肥料散布装置Ａの全体の側面図で、同図において、ａは機体、ｂは走行装置、Ｅはエンジン、ｃは操縦装置、Ｈは肥料ホッパー、ｄは肥料ホッパーＨの底部に開設した排出口、１は繰出装置、２は散布装置、３はカバーを示す。
【００１３】
機体ａは、この例においては、自走して走行する自走式の形態に形成してあり、それの底部に装備せる走行装置ｂはクローラ型に構成してある。
【００１４】
そして、その走行装置ｂおよび繰出装置１ならびに散布装置２等の各作動部を駆動するエンジンＥは、機体ａの後部に装架してあり、また、機体ａの後端部には操縦装置ｃが装架してある。
【００１５】
肥料ホッパーＨは、それの主体４０が、軸線方向を上下方向としたドラム状に成形されて、それの前端部位が、機体ａの前方に突出する状態として機体ａの上面の前端側に寄る部位に装架してあり、それの内腔の中心部位には、前述のエンジンＥと伝導機構を介して駆動回転する撹拌軸４１が配設され、その撹拌軸４１の駆動により、その撹拌軸４１の頂部に連結せる撹拌アーム４２が該肥料ホッパーＨ内を回動するようにしてある。
【００１６】
そして、該肥料ホッパーＨの機体ａの前面側に突出する部分の底面に開設せる排出口ｄの下方には、図３に示している如く、短い円筒状の肥料だめ４３が接続し、それの軸芯部位には、下方に配設せるギヤボックスＧＢから突出する回転軸４４の上端側が位置し、その回転軸４４に取付けたアジテーター４５が、この肥料だめ４３を回動するように配設してあり、また、このアジテーター４５の下方には所望に開度が調節されるシャッター４６が装備してある。
【００１７】
繰出装置１は、前記肥料だめ４３の下方に配位して、前述の回転軸４４の下端部に軸芯部位を止着した円板１０と、その円板１０の上面に、平面視において前記回転軸４４から放射状に突出するように取付けた翼板１１…と、その翼板１１…および円板１０の回転軌跡の周囲を囲うように、円板１０と前記肥料だめ４３の下面との間に配設される円筒状の囲い枠１２と、その囲い枠１２の一部に開放した吐出口１３と、その吐出口１３に連続するシュート１４とからなり、ギヤボックスＧＢから突出する回転軸４４が、エンジンＥの出力軸と伝導機構を介し伝導する伝導軸４７を経て駆動されることで、前述の肥料だめ４３からシャッター４６の開度に制御されて落下してくる肥料を、円板１０と翼板１１…とにより振り出して、囲い枠１２の吐出口１３からシュート１４に吐出するように作用する。
【００１８】
前記シュート１４は、この例においては、囲い枠１２と一体に連続させてあり、かつ、その囲い枠１２が、前述の肥料だめ４３に対して回転軸４４中心に所望の角度量の旋回が行なえるように機体ａに支架してあって、固定手段１５により所望の回動位置に固定してあり、その固定手段１５の緊縛を緩めて囲い枠１２を旋回させることで、図４の鎖線Ｉ・ＩＩに示している如く、このシュート１４の誘導方向が円板１０の回転方向に変位し、肥料の種類により生ずる散布する肥料の偏よりに対応させるようにしてある。
【００１９】
また、このシュート１４は、この例においては、肥料を機体ａの前方に向けて吐出していくように装設してある。
【００２０】
散布装置２は、前述の繰出装置１の肥料の吐出口となるシュート１４の前面に、その吐出口から吐出される肥料の吐出方向の前面を遮断するように配位して、その肥料の吐出方向と平行する支軸２０により、その肥料の吐出方向と直交する方向に揺動自在に支架した規制板２１と、それの内面側に、その規制板２１の揺動により吐出してくる肥料の流れを横切って揺動するよう取付ける飛散板２２…とからなる。
【００２１】
そして、規制板２１には、図４および図５にあるように、前述のエンジンＥの出力軸と伝導して駆動回転するように機体ａに軸支せる駆動軸Ｓにより作動する往復動機構５が連繋してあって、その機構５の作動により、図５において実線に示す位置と鎖線に示す位置との間を、支軸２０中心に往復揺動する。
【００２２】
往復動機構５は、前述の駆動軸Ｓに設けたクランクロッド５０と、これに連繋する往復動杆５１とからなる通常のものであり、その往復動杆５１と規制板２１との連繋は、規制板２１に設けた長穴５２とこれに挿通する連繋ボルト５３とそれに螺合する締結ナット５４とにより行なわれていて、締結ナット５４を緩めて連繋ボルト５３を長穴５２に対し摺動させて、所望の位置で締結ナット５４を締付け固定することで、規制板２１の支軸２０中心とする往復揺動の振り巾が変更調節されるようにしてある。
【００２３】
規制板２１の内面側に装設する飛散板２２…は、繰出装置１の吐出口であるシュート１４から吐出される肥料を、飛散板２２と飛散板２２との対向する間隔内に受入れて、その状態から左右に振り出すように、図７に示している如く、二枚の飛散板２２・２２を、上下方向の通路を形成するように一対に対向させて取付け、各飛散板２２・２２の下端側を、それぞれ対向間隔が拡巾するように外側に屈曲する屈曲壁２２０・２２０に形成し、その屈曲壁２２０・２２０の対向する部位の中間に、支軸２０の軸方向視において山形に形成した補助飛散板２３を設けて、繰出装置１のシュート１４から吐出してくる肥料を、一対の飛散板２２・２２の間に受入れて、左右から抱込む状態として左右に振り飛ばすように構成する場合と、図８にあるように、飛散板２２を、規制板２１の内面側の中央部位に垂直方向に取付け、それの下端部に、左右に分岐するように屈曲壁２２０・２２０を一対に設けて、支軸２０中心に左右に揺動する飛散板２２の左右の側壁面と屈曲壁２２０・２２０の上面とで左右に振り飛ばすようにする場合があり、適宜に構成してよいものである。
【００２４】
また、繰出装置１の吐出口となるシュート１４の前面に設ける規制板２１は、機体ａに対し固定して設け、飛散板２２だけが支軸２０中心に往復揺動するようにする場合がある。
【００２５】
また、図８に示しているように、飛散板２２をシングルにした場合においても、規制板２１を左右に往復揺動させる往復動機構５は、前述した長穴５２とそれに嵌挿する連繋ボルト５３と締結ナット５４とにより、規制板２１を揺動させる振り巾が調整自在となるようにしてある。
【００２６】
カバー３は、上記散布装置２の規制板２１および飛散板２２・２２が、繰出装置１の吐出口から吐出されてくる肥料を、それの吐出方向と直交する方向に往復揺動する作動により、その吐出方向に対し左右に振り出すように作用したときに、その規制板２１および飛散板２２・２２により振り出される肥料の飛行範囲を囲うように設けるもので、図３にあるように、下方が開放口３０として開放する下向きのチャンネル状に形成してあって、図４および図９に示しているように、散布装置２をそっくり囲い込むとともに、その散布装置２で振り出される肥料の飛行範囲を囲うよう左右に長く延出するようにしてある。
【００２７】
そして、このカバー３は、図１０にあるように、往復動機構５の調節で散布装置２の規制板２１および飛散板２２の振り巾を大きくして、振り出す肥料の飛行距離を大きくしたときに対応させるために、左右の両端部に、延長カバー３１・３１が、セットボルト３２・３２を緩めて、ガイド溝３３・３３に沿いスライドさせることで、伸縮するように装備させてある。
【００２８】
【発明の効果】
以上説明したように、本発明手段においては、繰出装置１の吐出口から吐出される肥料が、その吐出口の前面を横切るように設けられて肥料の吐出方向に対し左右に揺動する規制板２１に衝突して、その規制板２１の内面に設けてある飛散板２２が規制板２１と共に肥料の吐出方向に対し左右に揺動する作動によって、左右方向に振り出されて散布されていくようになるから、圃場に、筋状乃至条状の散布範囲をもって肥料を散布していけるので、畦畔のきわ、または、建物の壁面のきわまで、肥料を均一に散布していけるようになる。
【００２９】
また、散布範囲を、下方が開放する下向きのチャンネル状のカバー３で囲った場合には、散布する肥料が、風に飛ばされ易い性状・比重のものであっても、往復揺動する規制板２１および飛散板２２…により振り出された肥料が、風の影響を殆んど受けることなく、カバー３内を飛行して、振り出されたときに与えられた飛行エネルギーが消失したところで、下降してカバー３の下方の開放口３０から落下するから、殆んど風の影響を受けずに、筋状乃至条状の散布範囲をもって略均一に肥料を散布していけるようになる。
【図面の簡単な説明】
【図１】従前の肥料散布装置の一部破断した側面図である。
【図２】本発明を実施せる肥料散布装置の一部破断した側面図である。
【図３】同上肥料散布装置の要部の縦断側面図である。
【図４】同上肥料散布装置の要部の横断平面図である。
【図５】同上肥料散布装置の散布装置の前面図である。
【図６】同上散布装置の規制板の振り巾を変更した状態の前面図である。
【図７】同上散布装置の後方視における斜視図である。
【図８】同上散布装置の規制板に設ける飛散板をシングル形とした例の後方視における斜視図である。
【図９】同上散布装置のカバーを取付けた状態における一部破断した後面図である。
【図１０】同上散布装置の取付けたカバーを伸長させた状態の一部破断した後面図である。
【符号の説明】
Ａ…肥料散布装置、Ｅ…エンジン、Ｈ…肥料ホッパー、Ｓ…駆動軸、ＧＢ…ギヤボックス、ａ…機体、ｂ…走行装置、ｃ…操縦装置、ｄ…排出口、ｅ…散布装置、ｆ…回転軸、ｇ…円盤、ｈ…羽根板、ｉ…規制板、１…繰出装置、１０…円板、１１…翼板、１２…囲い枠、１３…吐出口、１４…シュート、１５…固定手段、２…散布装置、２０…支軸、２１…規制板、２２…飛散板、２２０…屈曲壁、２３…補助飛散板、３…カバー、３０…開放口、３１…延長壁、３２…セットボルト、３３…ガイド溝、４０…主体、４１…撹拌軸、４２…撹拌アーム、４３…肥料だめ、４４…回転軸、４５…アジテーター、４６…シャッター、４７…伝導軸、５…往復動機構、５０…クランクロッド、５１…往復動杆、５２…長穴、５３…連繋ボルト、５４…締結ナット。
【図１】
0003579201.tif 000002
【図２】
0003579201.tif 000003
【図３】
0003579201.tif 000004
【図４】
0003579201.tif 000005
【図５】
0003579201.tif 000006
【図６】
0003579201.tif 000007
【図７】
0003579201.tif 000008
【図８】
0003579201.tif 000009
【図９】
0003579201.tif 000010
【図１０】
0003579201.tif 000011